(57)【要約】      （修正有）【課題】画像データの読取に関する初期設定条件に送信先のユーザーの意見を反映させることで、画像データの読取及び送信について、送信元及び送信先のユーザーの利便性を向上する。【解決手段】投票追加部２０３は、画像処理装置で読み取られた画像データが端末装置に送信される際に、画像データに、画像データの良し悪しを示す投票キーを追加する。投票受付部２０５は、端末装置は、画像データの良好を示す良好キーを選択可能に表示して、良好キーの選択を受け付ける。投票判定部２０６は、画像処理装置で、所定の期間内において、良好キーの投票数が予め設定された閾値以上となるか否かを判定する。デフォルト登録部２０７は、画像処理装置で、投票数が閾値以上となった場合、送信された画像データの画像読取における設定条件を初期設定条件として自動的に登録する。【選択図】図２
2016092519.tif 000002
【特許請求の範囲】
【請求項１】
画像処理装置と端末装置とを含む画像処理システムであって、
前記画像処理装置で、所定の設定条件で読み取られた画像データが前記端末装置に送信される際に、当該画像データに、当該画像データの良し悪しを示す投票キーを追加する投票追加部と、
前記端末装置で、前記投票キー付き画像データが表示される際に、当該投票キーのうち、当該画像データの良好を示す良好キーを選択可能に表示して、当該良好キーの選択を受け付ける投票受付部と、
前記画像処理装置で、前記良好キーが選択されると、所定の期間内において、当該良好キーの投票数をカウントし、当該カウントした良好キーの投票数が予め設定された閾値以上となるか否かを判定する投票判定部と、
前記画像処理装置で、前記投票数が前記閾値以上となった場合、前記送信された画像データの画像読取における設定条件を初期設定条件として自動的に登録するデフォルト登録部と、
を備えることを特徴とする画像処理システム。
【請求項２】
前記画像処理装置で、前記投票数が前記閾値未満となった場合、前記送信された画像データの画像読取における設定条件の見直しを促す見直し画面を表示させる表示受付部を更に備える
請求項１に記載の画像処理システム。
【請求項３】
前記投票追加部は、前記画像データが送信される際に、ユーザーに、当該画像データに前記投票キーを追加するか否かを問い合わせ、ユーザーから、前記投票キーの追加を受け付けると、前記画像データに前記投票キーを追加する
請求項１又は２に記載の画像処理システム。
【請求項４】
画像処理装置と端末装置とを含む画像処理システムの画像処理方法であって、
前記画像処理装置で、所定の設定条件で読み取られた画像データが前記端末装置に送信される際に、当該画像データに、当該画像データの良し悪しを示す投票キーを追加する投票追加ステップと、
前記端末装置で、前記投票キー付き画像データが表示される際に、当該投票キーのうち、当該画像データの良好を示す良好キーを選択可能に表示して、当該良好キーの選択を受け付ける投票受付ステップと、
前記画像処理装置で、前記良好キーが選択されると、所定の期間内において、当該良好キーの投票数をカウントし、当該カウントした良好キーの投票数が予め設定された閾値以上となるか否かを判定する投票判定ステップと、
前記画像処理装置で、前記投票数が前記閾値以上となった場合、前記送信された画像データの画像読取における設定条件を初期設定条件として自動的に登録するデフォルト登録ステップと、
を備えることを特徴とする画像処理方法。
【発明の詳細な説明】
【技術分野】
【０００１】
本発明は、画像処理システム及び画像処理方法に関する。
【背景技術】
【０００２】
スキャナー、複写機、複合機等の画像処理装置において読み取った画像データの設定方法の技術は多種存在する。例えば、特開２０１１−１６６７８１号公報（特許文献１）には、デフォルト設定を記憶する記憶部と、前記デフォルト設定を反映した設定内容を表示する表示部と、を備えた画像処理装置が開示されている。この装置では、ユーザーからの指示に応じて変更した設定内容を表示部に表示させる表示制御部と、前記表示された設定内容で画像処理を実行する場合、実行する処理の設定内容を設定履歴情報として保存する設定履歴保存部と、を備える。そして、前記保存された複数の設定履歴情報により前記デフォルト設定を変更すべきか否かを判断する判断部と、前記デフォルト設定を変更すべきと判断された場合、前記デフォルト設定を前記複数の設定履歴情報から決定されるデフォルト設定に更新する更新部と、を有する。これにより、ユーザーの使用用途あるいは好みに応じた初期設定を提供することが出来るとしている。
【先行技術文献】
【特許文献】
【０００３】
【特許文献１】特開２０１１−１６６７８１号公報
【発明の概要】
【発明が解決しようとする課題】
【０００４】
しかしながら、上述した特許文献１に記載の技術では、ユーザーが操作した複数の設定履歴情報から、所定のデフォルト設定に更新されるため、ユーザーの操作が必要という課題がある。
【０００５】
ところで、所定の初期設定条件で読み取った画像データを所定の送信先に送信する場合、通常、画像データを読み取らせたユーザーよりも、画像データを受け取ったユーザーが当該画像データの評価を実施する方が好ましい。つまり、画像データの読取に関する初期設定条件は、送信元のユーザーの操作履歴よりも、送信先のユーザーの意見を反映させた方が、送信元及び送信先のユーザーの利便性を向上させる。
【０００６】
そこで、本発明は、前記課題を解決するためになされたものであり、画像データの読取及び送信について、送信元及び送信先のユーザーの利便性を向上させることが可能な画像処理システム及び画像処理方法を提供することを目的とする。
【課題を解決するための手段】
【０００７】
本発明の一の局面に係る画像処理システムは、画像処理装置と端末装置とを含む画像処理システムであって、投票追加部と、投票受付部と、投票判定部と、デフォルト登録部と、を備える。投票追加部は、前記画像処理装置で、所定の設定条件で読み取られた画像データが前記端末装置に送信される際に、当該画像データに、当該画像データの良し悪しを示す投票キーを追加する。投票受付部は、前記端末装置で、前記投票キー付き画像データが表示される際に、当該投票キーのうち、当該画像データの良好を示す良好キーを選択可能に表示して、当該良好キーの選択を受け付ける。投票判定部は、前記画像処理装置で、前記良好キーが選択されると、所定の期間内において、当該良好キーの投票数をカウントし、当該カウントした良好キーの投票数が予め設定された閾値以上となるか否かを判定する。デフォルト登録部は、前記画像処理装置で、前記投票数が前記閾値以上となった場合、前記送信された画像データの画像読取における設定条件を初期設定条件として自動的に登録する。
【０００８】
本発明の一の局面に係る画像処理方法は、画像処理装置と端末装置とを含む画像処理システムであって、投票追加ステップと、投票受付ステップと、投票判定ステップと、デフォルト登録ステップと、を備える。投票追加ステップは、前記画像処理装置で、所定の設定条件で読み取られた画像データが前記端末装置に送信される際に、当該画像データに、当該画像データの良し悪しを示す投票キーを追加する。投票受付ステップは、前記端末装置で、前記投票キー付き画像データが表示される際に、当該投票キーのうち、当該画像データの良好を示す良好キーを選択可能に表示して、当該良好キーの選択を受け付ける。投票判定ステップは、前記画像処理装置で、前記良好キーが選択されると、所定の期間内において、当該良好キーの投票数をカウントし、当該カウントした良好キーの投票数が予め設定された閾値以上となるか否かを判定する。デフォルト登録ステップは、前記画像処理装置で、前記投票数が前記閾値以上となった場合、前記送信された画像データの画像読取における設定条件を初期設定条件として自動的に登録する。
【発明の効果】
【０００９】
本発明の画像処理システム及び画像処理方法によれば、画像データの読取及び送信について、送信元及び送信先のユーザーの利便性を向上させることが可能となる。
【図面の簡単な説明】
【００１０】
【図１】本発明に係る画像処理システムの全体構成を示す概念図である。
【図２】本発明の実施形態における画像処理システムの機能ブロック図である。
【図３】本発明の実施形態の実行手順を示すためのフローチャートである。
【図４】本発明の実施形態における画像処理システムの投票キー付き画像データのやり取りの一例を示す図（図４（Ａ））と、本発明の実施形態における画像処理システムの投票キーの投票数の集計と処理の一例を示す図（図４（Ｂ））とである。
【発明を実施するための形態】
【００１１】
以下に、添付図面を参照して、本発明の画像処理システム及び画像処理方法の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１２】
以下に、本発明の実施形態の一例として、端末装置と画像処理装置とを含む画像処理システムについて説明する。尚、本発明の画像処理装置は、例えば、ファクシミリ、コピー、スキャナー、プリンター等の機能を備えた複合機（ＭＦＰ：Ｍｕｌｔｉ  Ｆｕｎｃｔｉｏｎ  Ｐｅｒｉｐｈｅｒａｌ）が該当する。
【００１３】
複合機１００は、図１に示すように、タッチパネルを含む操作部１０１を介してユーザーから原稿の画像読取ジョブ及び画像送信ジョブを受け付けると、画像読取制御部１０２、画像送信制御部１０３等の各部を駆動し、当該画像読取ジョブ及び画像送信ジョブを提供する。又、複合機１００の画像読取制御部１０２は、操作部１０１からの指示又は予め設定された初期設定条件に基づいて、画像読取部を駆動し、読取台（原稿台）上に載置された原稿等の画像データを読み取る。又、複合機１００の画像送信制御部１０３は、操作部１０１からの指示に基づいて、画像送信部を駆動し、前記読み取った画像データを所定の送信先の端末装置１０５へ送信する。ここで、複合機１００は、ネットワーク１０４を介して端末装置１０５と通信可能に接続されている。そのため、この複合機１００と、端末装置１０５とは画像処理システムを構成する。
【００１４】
尚、複合機１００、端末装置１０５の制御回路は、図示しないが、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、各駆動部に対応するドライバーを内部バスによって接続している。複合機１００、端末装置１０５のＣＰＵは、例えば、ＲＡＭを作業領域として利用し、ＲＯＭ、ＨＤＤ等に記憶されているプログラムを実行し、当該実行結果に基づいてドライバーからのデータ、指示、信号、命令等を授受し、各種処理の実行に関する各駆動部の動作を制御する。又、駆動部以外の後述する各部（図２に示す）についても、ＣＰＵが、各プログラムを実行することで当該各部を実現する。ＲＯＭ、ＲＡＭ、ＨＤＤ等には、以下に説明する各部を実現するプログラムやデータが記憶されている。
【００１５】
次に、図２、図３を参照しながら、本発明の実施形態に係る構成及び実行手順について説明する。先ず、ユーザーＡが、複合機１００を起動させると、当該複合機１００の表示受付部２０１が、予め設定された所定の操作画面を操作部１０１のタッチパネル上に表示させる（図３：Ｓ１０１）。
【００１６】
ここで、ユーザーＡは、前記操作画面を見ながら、所定の原稿の画像データを読み取る画像読取ジョブと、所定の画像データを所定の送信先に送信する画像送信ジョブとの設定条件を入力する。ユーザーＡは、例えば、前記画像読取ジョブの設定条件に、画像モードとして「モノクロ画像データ」と、解像度として「３００ｄｐｉ」と、濃度として「２５６」とを入力する。又、ユーザーＡは、例えば、前記画像送信ジョブの設定条件に、送信先としてユーザーＢのメールアドレスと、送信対象として前記画像読取ジョブの画像データとを入力する。
【００１７】
そして、ユーザーＡは、原稿を読取台に載置して、前記画像読取ジョブと画像送信ジョブの設定条件を見ながら、スタートキーを選択すると、表示受付部２０１は、前記入力された画像読取ジョブと画像送信ジョブの設定条件を受け付けて（図３：Ｓ１０２）、その旨をジョブ制御部２０２に通知する。当該通知を受けたジョブ制御部２０２は、受け付けたジョブの種類に対応して、各部にジョブを割り当てる。
【００１８】
先ず、ジョブ制御部２０２は、前記画像読取ジョブを画像読取制御部１０２に通知する。当該通知を受けた画像読取制御部１０２は、画像読取部を駆動し、前記画像読取ジョブの設定条件（画像モード、解像度、濃度）に従って、前記読取台の原稿の画像データを読み取る（図３：Ｓ１０３）。これにより、ユーザーＡが意図する画像データを得ることが出来る。
【００１９】
画像読取制御部１０２が読取を完了すると、その旨をジョブ制御部２０２に通知し、当該通知を受けたジョブ制御部２０２は、前記画像送信ジョブを画像送信制御部１０３に通知する。当該通知を受けた画像送信制御部１０３は、画像送信部を駆動し、前記画像送信ジョブの設定条件（送信先）に従って、前記画像データを送信先に送信する。
【００２０】
ここで、画像送信制御部１０３が前記画像データを送信する際に、その旨を投票追加部２０３に通知する。当該通知を受けた投票追加部２０３は、ユーザーＡに、送信対象の画像データに、当該画像データの良し悪しを示す投票キーを追加するか否かを問い合わせる（図３：Ｓ１０４）。
【００２１】
ここで、投票追加部２０３が問い合わせる方法に特に限定は無い。例えば、投票追加部２０３は、前記画像データの送信の前に、操作部１０１のタッチパネル上に投票キーを選択可能に表示して、ユーザーＡから当該投票キーの選択を受け付ける。当該投票キーが選択されることで、ユーザーＡから投票キーの追加を受け付ける。
【００２２】
ユーザーＡが、前記投票キーを見ながら、当該投票キーを選択することなく、所定の送信キーを選択すると、投票追加部２０３は、前記投票キーを画像データに追加することなく（図３：Ｓ１０４ＮＯ）、その旨を画像送信制御部１０３に通知する。当該通知を受けた画像送信制御部１０３は、前記画像データを送信先の端末装置１０５に送信する（図３：Ｓ１０５）。そして、端末装置１０５の制御部２０４が、前記画像データを受信すると（図３：Ｓ１０６）、ディスクトップ上に当該画像データを表示する。この場合は、端末装置１０５のユーザーＢは、前記画像データを確認するものの、当該画像データの良し悪しを投票することは無い。
【００２３】
一方、Ｓ１０４において、ユーザーＡが、前記投票キーを見ながら、当該投票キーを選択した上で前記送信キーを選択すると、投票追加部２０３は、図４（Ａ）に示すように、前記画像データ４００に前記投票キー４０１を追加する（図３：Ｓ１０７）。投票追加部２０３が追加する方法に特に限定は無く、例えば、メールで画像データ４００を送信する場合には、メールのメッセージ部分に投票キー４０１を追加することで、送信先のユーザーＢが投票キー４０１を選択出来るようにする。そして、投票追加部２０３は、前記投票キー４０１の追加を完了すると、その旨を画像送信制御部１０３に通知し、当該通知を受けた画像送信制御部１０３は、図４（Ａ）に示すように、ネットワーク１０４を介して、前記投票キー４０１付き画像データ４００を送信先の端末装置１０５に送信する（図３：Ｓ１０８）。そして、端末装置１０５の制御部２０４が、前記投票キー４０１付き画像データ４００を受信すると（図３：Ｓ１０９）、ディスクトップ上に当該画像データ４００を表示させる。
【００２４】
ここで、制御部２０４が前記画像データ４００を表示させる際に、当該画像データ４００に前記投票キー４０１が存在する場合には、その旨を投票受付部２０５に通知する。当該投票受付部２０５は、前記画像データ４００の表示とともに、前記投票キー４０１に対応して、当該画像データ４００の良好を示す良好キー４０１ａ（例えば、「いいね！」キー）と、当該画像データ４００の不良を示す不良キー４０１ｂ（例えば、「わるいね！」キー）とを選択可能に表示する（図３：Ｓ１１０）。
【００２５】
ユーザーＢは、前記画像データ４００の内容を見ながら、当該画像データ４００の内容（品質）が良ければ、前記良好キー４０１ａを選択する。又、当該画像データ４００の内容が悪ければ、前記不良キー４０１ｂを選択する。前記画像データ４００の内容は、例えば、画像データ４００の見栄え等を挙げることが出来る。上述のように、ユーザーＢが、前記良好キー４０１ａ又は前記不良キー４０１ｂの投票キー４０１を選択すると、投票受付部２０５は、当該投票キー４０１の選択を受け付けて（図３：Ｓ１１１）、図４（Ｂ）に示すように、ネットワーク１０４を介して、端末装置１０５から、前記投票キー４０１の良好キー４０１ａ又は不良キー４０１ｂのいずれかを複合機１００に返信する（図３：Ｓ１１２）。そして、複合機１００の投票判定部２０６は、前記端末装置１０５からの投票キー４０１の選択を受け付けると、所定の期間内（例えば、画像データ４００送信から１ヶ月間等）において、当該投票キー４０１のうち、良好キー４０１ａの投票数をカウントする（図３：Ｓ１１３）。
【００２６】
そして、投票判定部２０６は、前記期間経過後に、前記カウントした良好キー４０１ａの投票数が予め設定された閾値以上となるか否かを判定する（図３：Ｓ１１４）。ここで、前記閾値に特に限定は無く、例えば、前記画像送信ジョブにおいて、送信先が複数選択された場合に、当該送信先の数に対して１／２の数が設定される。これにより、前記投票数が前記閾値以上となった場合に、半数以上のユーザーが、前記画像データ４００の内容を良いと判断したことになる。
【００２７】
さて、Ｓ１１４において、良好キー４０１ａの投票が半数以上となり、前記投票数が前記閾値以上となった場合（図３：Ｓ１１４ＹＥＳ）、投票判定部２０６は、その旨をデフォルト登録部２０７に通知する。当該通知を受けたデフォルト登録部２０７は、前記送信された画像データの画像読取（画像読取ジョブ）における設定条件を初期設定条件として自動的に登録する（図３：Ｓ１１５）。ここでは、前記画像読取ジョブの設定条件のうち、画像モードの「モノクロ画像データ」と、解像度の「３００ｄｐｉ」と、濃度の「２５６」が初期設定条件として登録される。尚、デフォルト登録部２０７は、画像モード（「モノクロ画像データ」、「カラー画像データ」）毎にそれぞれ初期設定条件を登録する。これにより、送信先のユーザーＢの意見を反映させた木目細かい初期設定条件を登録することが出来る。又、初期設定条件が自動的に登録されるため、送信元のユーザーＡは特に操作する必要が無くなり、送信元のユーザーＡの利便性を向上させる。
【００２８】
又、画像データを読み取ったユーザーＡが初期設定条件を登録するのではなく、送信先のユーザーＢの意見を反映した初期設定条件を登録することで、今後の送信先のユーザーは、良好な画像データを確認することが出来る。言い換えると、次回、送信元のユーザーが、初期設定条件で画像データを読み取り、その画像データを他のユーザーに送信する場合、他のユーザーに受け入れられ易い（評価の高い）画像データを送信することが可能となる。
【００２９】
一方、Ｓ１１４において、不良キー４０１ｂの投票が半数以上となり、前記投票数が前記閾値未満となった場合（図３：Ｓ１１４ＮＯ）、投票判定部２０６は、その旨を表示受付部２０１に通知し、当該通知を受けた表示受付部２０１は、タッチパネル上に、前記送信された画像データ４００の画像読取における設定条件の見直しを促す見直し画面を表示させる（図３：Ｓ１１５）。これにより、送信元のユーザーＡが前記見直し画面を見た場合に、今後の画像読取ジョブの設定条件を変更するため、当該変更による試行錯誤を通じて、送信対象の画像データの品質を向上させることが可能となる。尚、表示受付部２０１は、前記見直し画面を操作部１０１に表示させても、送信元のユーザーＡのメールアドレスが分かっている場合には、送信元のユーザーＡに当該見直し画面をメールで送信しても良い。
【００３０】
尚、本発明の実施形態では、一回の画像読取ジョブと画像送信ジョブに対応して、投票キー４０１を画像データ４００に追加するよう構成したが、他の構成でも良い。例えば、複数のユーザーＡが、所定の画像読取ジョブの設定条件を繰り返し利用して、当該画像読取ジョブの画像データを複数の送信先へ送信する場合、各画像読取ジョブ及び画像送信ジョブ毎の画像データ４００に前記投票キー４０１を追加して、同一の画像読取ジョブの設定条件を複数の送信先のユーザーＢに評価してもらうよう構成しても良い。
【００３１】
又、投票判定部２０６は、所定の期間内に、画像送信条件として設定された所定の設定条件毎に良好キー４０１ａによる投票数（或いは投票率）が、予め定められた閾値以上となるか否かを判定し、デフォルト登録部２０７は、前記投票数が前記閾値以上（或いは前記投票率が予め定められた閾値以上）で、且つ、前記投票数が最も多い（或いは前記投票率が最も高い）設定条件を初期設定条件として登録させるようにしてもよい。
【００３２】
又、画像処理システムの複合機１００、端末装置１０５が各部を備えるよう構成したが、当該各部を実現するプログラムを記憶媒体に記憶させ、当該記憶媒体を提供するよう構成しても構わない。当該構成では、前記プログラムを、画像処理装置、端末装置に読み出させ、画像処理装置、端末装置が前記各部を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００３３】
以上のように、本発明に係る画像処理システム及び画像処理方法は、複合機、複写機等の画像処理装置を含む画像処理システムに有用であり、画像データの読取及び送信について、送信元及び送信先のユーザーの利便性を向上させることが可能な画像処理システム及び画像処理方法として有効である。
【符号の説明】
【００３４】
１００  複合機
１０１  操作部
１０２  画像読取制御部
１０３  画像送信制御部
１０４  ネットワーク
１０５  端末装置
２０１  表示受付部
２０２  ジョブ制御部
２０３  投票追加部
２０４  制御部
２０５  投票受付部
２０６  投票判定部
２０７  デフォルト登録部
【図１】
2016092519.tif 000003
【図２】
2016092519.tif 000004
【図３】
2016092519.tif 000005
【図４】
2016092519.tif 000006